【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
表示対象を画面に表示する画像表示部と、指の接触位置を逐次検出するタッチパネルとを備えたユーザインタフェース装置であって、
前記タッチパネルに接触した当該指に対して、触覚をもたらす触覚振動を付与する触覚振動機構部と、
前記画面に垂直な方向の高さ分を含む高さ情報が表示位置範囲内の各位置に割り当てられた表示対象である立体オブジェクトを、前記画像表示部の画面に表示させる立体オブジェクト表示手段と、
当該指の接触位置が前記立体オブジェクトの表示位置範囲内に含まれるか否かを判定し、当該指の接触位置を逐次出力する接触判定・モニタ手段と、
前記接触判定・モニタ手段が真の判定を行った際、当該指の接触位置に割り当てられた高さ情報を取得し、当該指の接触位置が移動した際の当該高さ情報の変化分を算出する高さ情報取得手段と、
当該高さ情報の変化分に応じた触覚振動を、当該指に対して前記タッチパネルを介して付与すべく前記触覚振動機構部に指示する触覚振動制御手段と
を有することを特徴とするユーザインタフェース装置。
【請求項２】
前記高さ情報取得手段は、当該高さ情報を単位時間経過毎に取得して、単位時間経過毎の各時刻における高さ情報の変化分を算出し、
前記触覚振動制御手段は、前記各時刻における当該高さ情報の変化分と所定の基準値との差に応じた触覚振動を、当該指に対して付与させることを特徴とする請求項１に記載のユーザインタフェース装置。
【請求項３】
前記触覚振動制御手段は、前記差が正値である際、第１の振動数を有する触覚振動を付与させ、前記差が負値である際、前記第１の振動数とは異なる第２の振動数を有する触覚振動を付与させることを特徴とする請求項２に記載のユーザインタフェース装置。
【請求項４】
前記基準値は負値に設定され、前記触覚振動制御手段は、前記差が負値である際、触覚振動の付与を停止させることを特徴とする請求項２に記載のユーザインタフェース装置。
【請求項５】
当該指により前記タッチパネルに与えられた押圧力を検出する押圧力検出部と、
前記押圧力が所定閾値以上であるか否かを判定する押圧力判定手段と
を更に有しており、
前記触覚振動制御手段は、前記押圧力判定手段が真の判定を行った際、触覚振動を当該指に対して付与させることを特徴とする請求項１から４のいずれか１項に記載のユーザインタフェース装置。
【請求項６】
前記触覚振動制御手段は、当該高さ情報の変化分と前記押圧力とに応じた触覚振動を、当該指に対して付与させることを特徴とする請求項５に記載のユーザインタフェース装置。
【請求項７】
ユーザの操作から見て、当該指が、前記画像表示部の画面に表示された前記立体オブジェクトを横切るようになぞった際、前記触覚振動制御手段は、前記立体オブジェクトの表示位置範囲内に凹部、凸部又は凹凸部が存在していると認識される触覚振動を、当該指に対して付与させることを特徴とする請求項１から６のいずれか１項に記載のユーザインタフェース装置。
【請求項８】
表示対象を画面に表示する画像表示部と、指の接触位置を逐次検出するタッチパネルとを備えたユーザインタフェース装置に搭載されたプログラムであって、前記ユーザインタフェース装置が、
前記タッチパネルに接触した当該指に対して、触覚をもたらす触覚振動を付与する触覚振動機構部を備えており、前記プログラムが、
前記画面に垂直な方向の高さ分を含む高さ情報が表示位置範囲内の各位置に割り当てられた表示対象である立体オブジェクトを、前記画像表示部の画面に表示させる立体オブジェクト表示手段と、
当該指の接触位置が前記立体オブジェクトの表示位置範囲内に含まれるか否かを判定し、当該指の接触位置を逐次出力する接触判定・モニタ手段と、
前記接触判定・モニタ手段が真の判定を行った際、当該指の接触位置に割り当てられた高さ情報を取得し、当該指の接触位置が移動した際の当該高さ情報の変化分を算出する高さ情報取得手段と、
当該高さ情報の変化分に応じた触覚振動を、当該指に対して前記タッチパネルを介して付与すべく前記触覚振動機構部に指示する触覚振動制御手段と
してコンピュータを機能させることを特徴とするユーザインタフェース装置用のプログラム。
【請求項９】
表示対象を画面に表示する画像表示部と、指の接触位置を逐次検出するタッチパネルとを備えたユーザインタフェース装置における触覚振動付与方法であって、前記ユーザインタフェース装置が、
前記タッチパネルに接触した当該指に対して、触覚をもたらす触覚振動を付与する触覚振動機構部を備えており、前記触覚振動付与方法が、
前記画面に垂直な方向の高さ分を含む高さ情報が表示位置範囲内の各位置に割り当てられた表示対象である立体オブジェクトを、前記画像表示部の画面に表示させる第１のステップと、
当該指の接触位置が前記立体オブジェクトの表示位置範囲内に含まれるか否かを判定し、当該指の接触位置を出力する第２のステップと、
第２のステップで真の判定が行われた際、当該指の接触位置に割り当てられた高さ情報を取得し、当該指の接触位置が移動した際の当該高さ情報の変化分を算出する第３のステップと、
当該高さ情報の変化分に応じた触覚振動を、当該指に対して前記タッチパネルを介して付与すべく前記触覚振動機構部に指示する第４のステップと
を有することを特徴とする触覚振動付与方法。
【手続補正２】
【補正対象書類名】明細書
【補正対象項目名】００１３
【補正方法】変更
【補正の内容】
【００１３】
本発明によれば、表示対象を画面に表示する画像表示部と、指の接触位置を逐次検出するタッチパネルとを備えたユーザインタフェース装置であって、
タッチパネルに接触した指に対して、触覚をもたらす触覚振動を付与する触覚振動機構部と、
画面に垂直な方向の高さ分を含む高さ情報が表示位置範囲内の各位置に割り当てられた表示対象である立体オブジェクトを、画像表示部の画面に表示させる立体オブジェクト表示手段と、
指の接触位置が立体オブジェクトの表示位置範囲内に含まれるか否かを判定し、指の接触位置を逐次出力する接触判定・モニタ手段と、
接触判定・モニタ手段が真の判定を行った際、指の接触位置に割り当てられた高さ情報を取得し、指の接触位置が移動した際の高さ情報の変化分を算出する高さ情報取得手段と、
この高さ情報の変化分に応じた触覚振動を、指に対してタッチパネルを介して付与すべく触覚振動機構部に指示する触覚振動制御手段と
を有するユーザインタフェース装置が提供される。
【手続補正３】
【補正対象書類名】明細書
【補正対象項目名】００１９
【補正方法】変更
【補正の内容】
【００１９】
また、この本発明のユーザインタフェース装置において、ユーザの操作から見て、指が、画像表示部の画面に表示された立体オブジェクトを横切るようになぞった際、触覚振動制御手段は、立体オブジェクトの表示位置範囲内に凹部、凸部又は凹凸部が存在していると認識される触覚振動を、指に対して付与させることも好ましい。
【手続補正４】
【補正対象書類名】明細書
【補正対象項目名】００２０
【補正方法】変更
【補正の内容】
【００２０】
本発明によれば、さらに、表示対象を画面に表示する画像表示部と、指の接触位置を逐次検出するタッチパネルとを備えたユーザインタフェース装置に搭載されたプログラムであって、このユーザインタフェース装置が、
タッチパネルに接触した指に対して、触覚をもたらす触覚振動を付与する触覚振動機構部を備えており、上記プログラムが、
画面に垂直な方向の高さ分を含む高さ情報が表示位置範囲内の各位置に割り当てられた表示対象である立体オブジェクトを、画像表示部の画面に表示させる立体オブジェクト表示手段と、
指の接触位置が立体オブジェクトの表示位置範囲内に含まれるか否かを判定し、指の接触位置を逐次出力する接触判定・モニタ手段と、
接触判定・モニタ手段が真の判定を行った際、指の接触位置に割り当てられた高さ情報を取得し、指の接触位置が移動した際の高さ情報の変化分を算出する高さ情報取得手段と、
この高さ情報の変化分に応じた触覚振動を、指に対してタッチパネルを介して付与すべく触覚振動機構部に指示する触覚振動制御手段と
してコンピュータを機能させるユーザインタフェース装置用のプログラムが提供される。
【手続補正５】
【補正対象書類名】明細書
【補正対象項目名】００２１
【補正方法】変更
【補正の内容】
【００２１】
本発明によれば、さらにまた、表示対象を画面に表示する画像表示部と、指の接触位置を逐次検出するタッチパネルとを備えたユーザインタフェース装置における触覚振動付与方法であって、このユーザインタフェース装置が、
タッチパネルに接触した指に対して、触覚をもたらす触覚振動を付与する触覚振動機構部を備えており、上記触覚振動付与方法が、
画面に垂直な方向の高さ分を含む高さ情報が表示位置範囲内の各位置に割り当てられた表示対象である立体オブジェクトを、画像表示部の画面に表示させる第１のステップと、
指の接触位置が立体オブジェクトの表示位置範囲内に含まれるか否かを判定し、指の接触位置を出力する第２のステップと、
第２のステップで真の判定が行われた際、指の接触位置に割り当てられた高さ情報を取得し、指の接触位置が移動した際の高さ情報の変化分を算出する第３のステップと、
この高さ情報の変化分に応じた触覚振動を、指に対してタッチパネルを介して付与すべく触覚振動機構部に指示する第４のステップと
を有する触覚振動付与方法が提供される。